(57)【要約】【課題】チャンネルスキャンの効率を向上し、利便性を向上できるテレビチューナ装置及びプログラムを提供する。【解決手段】チャンネル候補一覧情報を保持し、その各チャンネル情報の表すチャンネルで、ワンセグチューナ部により受信可能であるか否かを調べ、受信可能であるときには、対応するチャンネル情報に、その旨記録する動作と、ワンセグチューナ部により受信可能の旨が記録されているチャンネル情報があれば、当該チャンネル情報の表すチャンネルにてフルセグチューナ部による受信が可能であるか否かを調べ、ワンセグチューナ部により受信可能の旨が記録されているチャンネル情報がなければ、チャンネル候補一覧情報におけるいずれかのチャンネル情報の表すチャンネルで、フルセグチューナ部による受信が可能であるか否かを調べる動作とを並列的に行うテレビチューナ装置である。【選択図】図１
2014022779.tif 000002
【特許請求の範囲】
【請求項１】
ワンセグチューナ部、及びフルセグチューナ部を有し、
チャンネル候補の一覧を、チャンネル候補一覧情報として保持する手段と、
前記チャンネル候補一覧情報の各チャンネル情報の表すチャンネルで、ワンセグチューナ部によりワンセグ放送が受信可能であるか否かを調べ、ワンセグ放送が受信可能であるときに、チャンネル候補一覧情報の対応するチャンネル情報に、その旨記録する第１手段と、
前記チャンネル候補一覧情報を参照して、ワンセグチューナ部によりワンセグ放送が受信可能の旨が記録されているチャンネル情報があれば、当該チャンネル情報の表すチャンネルにてフルセグチューナ部によるフルセグでの放送信号の受信が可能であるか否かを調べ、ワンセグチューナ部によりワンセグ放送が受信可能の旨が記録されているチャンネル情報がなければ、前記チャンネル候補一覧情報におけるいずれかのチャンネル情報の表すチャンネルで、フルセグチューナ部によるフルセグでの放送信号の受信が可能であるか否かを調べる第２手段と、
を含み、前記第１，第２手段が並列的に動作するテレビチューナ装置。
【請求項２】
請求項１記載のテレビチューナ装置であって、
前記チャンネル候補一覧情報とともに、チャンネル情報ごとに、放送信号の受信可能性を予め設定した可能性情報を備え、
前記第１手段と第２手段との少なくとも一方が、受信可能か否かを調べるチャンネルを選択する際に、前記可能性情報を参照して、可能性が高い順に選択するテレビチューナ装置。
【請求項３】
請求項１または２記載のテレビチューナ装置であって、
フルセグチューナによる受信が開始された後、前記第１手段が、前記チャンネル候補一覧情報の各チャンネル情報について、当該チャンネル情報の表すチャンネルで、ワンセグチューナによりワンセグ放送が受信可能であるか否かを調べ、チャンネル候補一覧情報の対応するチャンネル情報に、そのワンセグ放送が受信可能であるか否かを表す情報を記録して、チャンネル候補一覧情報の更新を行うテレビチューナ装置。
【請求項４】
請求項１から３のいずれか一項に記載のテレビチューナ装置であって、
前記チャンネル候補一覧情報のチャンネル情報のうち、チャンネル情報の表すチャンネルの放送信号が受信可能であった場合に、当該チャンネル情報に局名の情報を記録する手段をさらに含むテレビチューナ装置。
【請求項５】
ワンセグチューナ部、及びフルセグチューナ部に接続されたコンピュータを、
チャンネル候補の一覧を、チャンネル候補一覧情報として保持する手段と、
前記チャンネル候補一覧情報の各チャンネル情報の表すチャンネルで、ワンセグチューナ部によりワンセグ放送が受信可能であるか否かを調べ、ワンセグ放送が受信可能であるときに、チャンネル候補一覧情報の対応するチャンネル情報に、その旨記録する第１手段と、
前記チャンネル候補一覧情報を参照して、ワンセグチューナ部によりワンセグ放送が受信可能の旨が記録されているチャンネル情報があれば、当該チャンネル情報の表すチャンネルにてフルセグチューナ部によるフルセグでの放送信号の受信が可能であるか否かを調べ、ワンセグチューナ部によりワンセグ放送が受信可能の旨が記録されているチャンネル情報がなければ、前記チャンネル候補一覧情報におけるいずれかのチャンネル情報の表すチャンネルで、フルセグチューナ部によるフルセグでの放送信号の受信が可能であるか否かを調べる第２手段と、
前記第１手段と第２手段とを並列的に動作させる手段と、
として機能させるプログラム。
【発明の詳細な説明】
【技術分野】
【０００１】
本発明は、ディジタル方式のテレビチューナ及びプログラムに関する。
【背景技術】
【０００２】
近年では、アナログ放送から地上波ディジタル放送（ＩＳＤＢ−Ｔ：Integrated Services Digital Broadcasting - Terrestrial）へ切替えることにより、周波数帯域の有効利用が図られている。この地上波ディジタル放送では、一つのチャンネルに５．５７MHzの帯域幅が与えられる。そしてこの帯域幅は１３のセグメントに分割され、各セグメントを通じて信号が送出されている。これら１３のセグメントのうち一つのセグメントは、携帯端末等での受像に適した１セグメント放送（ワンセグ放送）を行うために使用され、残りの１２セグメントは、ハイビジョン放送（ＨＤＴＶ）等に使用される。この１２セグメントを利用する放送を、ワンセグ放送に対比して、「フルセグ放送」と呼ぶ。
【０００３】
フルセグ放送でのアンテナの向きを調整するために、比較的処理負荷の低いワンセグ放送を利用する技術が、特許文献１に開示されている。
【先行技術文献】
【特許文献】
【０００４】
【特許文献１】特開２００８−１６０４２４号公報
【発明の概要】
【発明が解決しようとする課題】
【０００５】
ディジタル放送では、地域ごとに、実際に放送が行われている物理チャンネルが異なっている。従ってディジタル放送を受信する際には予め、チューナが、チューナの置かれた地域にて受信可能なチャンネルをスキャンする必要がある（チャンネルスキャン）。しかしながらこのチャンネルスキャンは、各チャンネルに割当てられたすべての周波数を総当りで調べることにより行われ、比較的時間のかかる処理となっている。例えば車両等で移動中、地域をまたぐと受信可能なチャンネルが変わることがあり、その場合には再度スキャンをする必要が生じる。この際、チャンネルスキャンの効率が低いほど放送が受信できない時間が長くなり、利便性が低下する。
【０００６】
本発明は上記実情に鑑みて為されたもので、チャンネルスキャンの効率を向上し、利便性を向上できるテレビチューナ装置及びプログラムを提供することを、その目的の一つとする。
【課題を解決するための手段】
【０００７】
上記従来例の問題点を解決するための本発明は、テレビチューナ装置であって、ワンセグチューナ部、及びフルセグチューナ部を有し、チャンネル候補の一覧を、チャンネル候補一覧情報として保持する手段と、前記チャンネル候補一覧情報の各チャンネル情報の表すチャンネルで、ワンセグチューナ部によりワンセグ放送が受信可能であるか否かを調べ、ワンセグ放送が受信可能であるときに、チャンネル候補一覧情報の対応するチャンネル情報に、その旨記録する第１手段と、前記チャンネル候補一覧情報を参照して、ワンセグチューナ部によりワンセグ放送が受信可能の旨が記録されているチャンネル情報があれば、当該チャンネル情報の表すチャンネルにてフルセグチューナ部によるフルセグでの放送信号の受信が可能であるか否かを調べ、ワンセグチューナ部によりワンセグ放送が受信可能の旨が記録されているチャンネル情報がなければ、前記チャンネル候補一覧情報におけるいずれかのチャンネル情報の表すチャンネルで、フルセグチューナ部によるフルセグでの放送信号の受信が可能であるか否かを調べる第２手段と、を含み、前記第１，第２手段が並列的に動作することとしたものである。
【０００８】
このように、ワンセグチューナとフルセグチューナとが並列的に協働してチャンネルスキャンを行うことで、チャンネルスキャンの効率を向上でき、利便性を向上できる。
【０００９】
またここで、前記チャンネル候補一覧情報とともに、チャンネル情報ごとに、放送信号の受信可能性を予め設定した可能性情報を備え、前記第１手段と第２手段との少なくとも一方が、受信可能か否かを調べるチャンネルを選択する際に、前記可能性情報を参照して、可能性が高い順に選択することとしてもよい。
【００１０】
このように、予め定めた放送信号の受信可能性の情報を利用することで、チャンネルスキャンの効率をより向上でき、利便性を向上できる。
【００１１】
さらにフルセグチューナによる受信が開始された後、前記第１手段が、前記チャンネル候補一覧情報の各チャンネル情報について、当該チャンネル情報の表すチャンネルで、ワンセグチューナによりワンセグ放送が受信可能であるか否かを調べ、チャンネル候補一覧情報の対応するチャンネル情報に、ワンセグ放送が受信可能であるか否かを表す情報を記録して、チャンネル候補一覧情報の更新を行うこととしてもよい。
【００１２】
このようにしておけば、フルセグチューナによるフルセグでの放送信号の受信が困難になるなどして、チャンネルスキャンの動作を行うにあたり、チャンネル情報にワンセグチューナによるワンセグ放送の受信可否を表す情報が含まれている状態でチャンネルスキャンの動作を開始できる。
【００１３】
また前記チャンネル候補一覧情報のチャンネル情報のうち、チャンネル情報の表すチャンネルの放送信号が受信可能であった場合に、当該チャンネル情報に局名の情報を記録する手段をさらに含んでもよい。この局名の情報は、種々の処理に利用でき、より利便性を向上できる。
【００１４】
また本発明の一態様に係るプログラムは、ワンセグチューナ部、及びフルセグチューナ部に接続されたコンピュータを、チャンネル候補の一覧を、チャンネル候補一覧情報として保持する手段と、前記チャンネル候補一覧情報の各チャンネル情報の表すチャンネルで、ワンセグチューナ部によりワンセグ放送が受信可能であるか否かを調べ、ワンセグ放送が受信可能であるときに、チャンネル候補一覧情報の対応するチャンネル情報に、その旨記録する第１手段と、前記チャンネル候補一覧情報を参照して、ワンセグチューナ部によりワンセグ放送が受信可能の旨が記録されているチャンネル情報があれば、当該チャンネル情報の表すチャンネルにてフルセグチューナ部によるフルセグでの放送信号の受信が可能であるか否かを調べ、ワンセグチューナ部によりワンセグ放送が受信可能の旨が記録されているチャンネル情報がなければ、前記チャンネル候補一覧情報におけるいずれかのチャンネル情報の表すチャンネルで、フルセグチューナ部によるフルセグでの放送信号の受信が可能であるか否かを調べる第２手段と、前記第１手段と第２手段とを並列的に動作させる手段と、として機能させることとしたものである。
【発明の効果】
【００１５】
本発明によると、ワンセグチューナとフルセグチューナとが並列的に協働してチャンネルスキャンを行うことで、チャンネルスキャンの効率を向上でき、利便性を向上できる。
【図面の簡単な説明】
【００１６】
【図１】本発明の実施の形態に係るテレビチューナ装置の構成例を表すブロック図である。
【図２】本発明の実施の形態に係るテレビチューナ装置が記憶するチャンネル候補一覧情報の内容例を表す説明図である。
【図３】本発明の実施の形態に係るテレビチューナ装置のチャンネルスキャン動作の例を表すフローチャート図である。
【図４】本発明の実施の形態に係るテレビチューナ装置のチャンネルスキャン動作の例を表すフローチャート図である。
【図５】本発明の実施の形態に係るテレビチューナ装置が記憶するチャンネル対応情報の例を表す説明図である。
【図６】本発明の実施の形態に係るテレビチューナ装置が記憶するチャンネル候補一覧情報の別の内容例を表す説明図である。
【発明を実施するための形態】
【００１７】
本発明の実施の形態に係るテレビチューナ装置１は、図１に例示するように、制御部１１と、記憶部１２と、ワンセグチューナ部１３と、フルセグチューナ部１４と、インタフェース部１５を含んで構成され、リモートコントローラ２等からの指示を受け入れ可能になっている。この記憶部１２には、図２に例示するチャンネル候補一覧情報が保持されている。このチャンネル候補一覧情報は、ディジタル放送用に割当てられている周波数帯域内に設定された複数の物理チャンネルのそれぞれについて、フルセグで受信可能、ワンセグで受信可能、空きチャンネル（受信していないチャンネル）、または未調査のいずれかを表す状態情報を関連付けたチャンネル情報（ＣＨ）の一覧である。
【００１８】
具体的に日本の地上波ディジタル放送の場合、４７０ＭＨｚから７７０ＭＨｚまでの帯域に、１３から６２までの物理チャンネルが設定されている。この場合、本実施の形態のチャンネル候補一覧情報は、１３から６２までの物理チャンネルのそれぞれについて、フルセグで受信可能、ワンセグで受信可能、空きチャンネル（受信していないチャンネル）、または未調査のいずれかを表す状態情報を関連付けたものとなる。
【００１９】
制御部１１はマイクロコンピュータ等のプログラム制御デバイスであり、記憶部１２に格納されたプログラムに従って動作する。この制御部１１は、インタフェース部１５を介して、リモートコントローラ２からチャンネルの指定の入力を受けて、当該指定されたチャンネルに対応する物理チャンネルの放送を受信するよう、フルセグチューナ部１４またはワンセグチューナ部１３に指示する。そしてフルセグチューナ部１４またはワンセグチューナ部１３が出力する映像信号及び音声信号をインタフェース部１５を介してテレビ受像機３等の表示デバイスへ出力する。
【００２０】
またこの制御部１１は、テレビチューナ装置１を購入後、最初に利用する場合や、移動時など、どのチャンネルで放送が受信できるかを調べる、チャンネルスキャンを実行する。このチャンネルスキャン時には制御部１１は、チャンネル候補一覧情報を生成または更新して記憶部１２に保持させる。このとき制御部１１は、チャンネル候補一覧情報に含まれる各物理チャンネルに対して「未調査」を設定する。
【００２１】
制御部１１は、記憶部１２からチャンネル候補一覧情報を読み出して参照し、状態情報が「未調査」となっている物理チャンネルを検索する。そしてそのような物理チャンネルがあれば、当該物理チャンネルでワンセグ放送の受信が可能であるか否か（電波強度は予め定めたしきい値を超えるか否か）をワンセグチューナ部１３に指示して調べる。ここで電波強度は、Ｃ／Ｎ値（搬送波対雑音比の値）や、ＢＥＲ（Bit Error Rate）、受信強度等の情報を用いればよく、しきい値は装置ごとに定めることとしてもよい。そして、制御部１１は、ここで受信可能であると判断すると、チャンネル候補一覧情報における当該調べた物理チャンネルに対応する状態情報を「ワンセグで受信可能」である旨の情報として記録する。
【００２２】
またこの制御部１１は、記憶部１２からチャンネル候補一覧情報を読み出して参照し、状態情報が「ワンセグで受信可能」とされている物理チャンネルを検索する。そしてワンセグで受信可能となっている物理チャンネルがあれば、当該物理チャンネルでフルセグ放送の番組情報を取得するようフルセグチューナ部１４に指示する。そしてフルセグ放送での番組情報が受信可能であれば、チャンネル候補一覧情報における当該調べた物理チャンネルに対応する状態情報を「フルセグで受信可能」である旨の情報として記録する。なお、ここで番組情報は、放送局の局名情報や、現在放送されている番組名等を含む、放送中番組情報である。
【００２３】
つまりこの制御部１１は、第１手段及び第２手段として機能する。さらに制御部１１は、第１手段によりワンセグチューナ部１３に受信可能か否かを調べるよう指示し、その結果がワンセグチューナ部１３から入力されるまでの間、第２手段として機能して、ワンセグで受信可能となっている物理チャンネルをチャンネル候補一覧情報から検索し、またワンセグで受信可能となっている物理チャンネルがあれば、フルセグチューナ部１４に指示して当該物理チャンネルに対応するチャンネルにおいてフルセグにて番組情報を取得可能であるか否かを調べさせる。
【００２４】
また制御部１１は、第２手段によりフルセグチューナ部１４に対して番組情報を取得するよう指示し、その結果がフルセグチューナ部１４から入力されるまでの間、第１手段として機能して、未調査となっている物理チャンネルをチャンネル候補一覧情報から検索し、また未調査となっている物理チャンネルがあれば、ワンセグチューナ部１３に指示して当該物理チャンネルにおいてワンセグにて受信可能であるか否かを調べさせる。
【００２５】
このように制御部１１は、第１手段としての動作と第２手段としての動作とを並列的に実行する。この制御部１１の動作については、後に述べる。
【００２６】
記憶部１２は不揮発性のメモリデバイス等であり、制御部１１によって実行されるプログラムを保持する。このプログラムは、半導体メモリ等のコンピュータ可読な記録媒体に格納されて提供され、この記憶部１２に格納されたものであってもよい。また、このプログラムは、ネットワークや放送波等を介してダウンロードされ、この記憶部１２に格納されたものであってもよい。また本実施の形態では、この記憶部１２には、既に述べたようにチャンネル候補一覧情報が格納されている。さらにこの記憶部１２は制御部１１のワークメモリとしても動作する。
【００２７】
ワンセグチューナ部１３は、制御部１１から入力される、ワンセグ放送の受信が可能か否かを調べるべき旨の指示に従い、指定されたチャンネルでのワンセグ放送が受信可能かどうかを調べて、その結果を出力する。またこのワンセグチューナ部１３は、物理チャンネルの指定とともに、当該指定された物理チャンネルでの放送を受信するべき旨の指示を、制御部１１から受け入れてもよい。この場合、ワンセグチューナ部１３は、当該指定された物理チャンネルでのワンセグ放送を受信し、受信できたならば、当該受信したワンセグ放送の信号を復調して、映像信号と音声信号とを得る。そしてワンセグチューナ部１３は、当該得られた映像信号と音声信号を出力する。
【００２８】
なお、ここでワンセグチューナ部１３においてワンセグ放送の受信可否を調べるにあたり、電波強度を検出することとして、放送を実際に受信したり、番組情報を取得しないのは、例えば放送大学のように、ワンセグによる放送が行われていない局があることに配慮したものである。ワンセグによる放送が行われていない局について考える必要がなければ、ワンセグチューナ部１３は、ワンセグ放送の受信が可能か否かを調べるべき旨の指示に従い、指定された物理チャンネルでのワンセグ用セグメントでの放送信号の受信や、番組情報の取得を試行し、受信ないし取得できた場合に受信可能である旨の出力を行い、受信ないし取得ができなければ、受信できない旨の出力を行うこととしてもよい。
【００２９】
フルセグチューナ部１４は、制御部１１から入力される、番組情報を取得するべき旨の指示に従い、指定されたチャンネルで、フルセグでの放送信号の受信を試みて、番組情報の取得を試みる。そして制御部１１は、その結果（取得した番組情報または取得不能であったことを表す情報でよい）を出力する。またこのフルセグチューナ部１４は、物理チャンネルの指定とともに、当該指定された物理チャンネルでの放送を受信するべき旨の指示を、制御部１１から受け入れると、当該指定された物理チャンネルでの放送信号を受信し、受信できたならば、当該受信した放送信号を復調して、映像信号と音声信号とを得る。そしてフルセグチューナ部１４は、当該得られた映像信号、及び音声信号を出力する。
【００３０】
インタフェース部１５は、例えば赤外線リモートコントローラ等のリモートコントローラ２からの信号を受信する受信部、及び映像・音声信号を出力するＨＤＭＩ（High Definition Multimedia Interface）や、ＲＣＡ端子を含む。このインタフェース部１５は、利用者からの選局指示を受けて、当該選局指示により指定されるチャンネル（リモコン上のチャンネルの値）を制御部１１に出力する。
【００３１】
またこのインタフェース部１５は、映像信号や音声信号を受け入れると、これらの信号を、ＨＤＭＩ端子等を介して出力する。
【００３２】
次に、制御部１１の詳しい動作について、チャンネルスキャン動作と、受信動作とにわけて説明する。まずチャンネルスキャン動作について説明する。制御部１１は、利用者からの指示により、あるいはテレビチューナ装置１を購入後、最初に設置するときやフルセグチューナ部１４で予め定めた時間だけ放送が受信できなかったことを検出した、などの予め定めたタイミングで、このチャンネルスキャン動作を行う。
【００３３】
制御部１１は、チャンネルスキャン動作を始めると、図３，図４に例示する処理を開始し、初期化処理を行う（Ｓ１）。ここで初期化処理では、チャンネル候補一覧情報に含まれる各物理チャンネルに対し「未調査」であることを表す情報を関連付ける。また、この初期化処理では、ワンセグチューナ部１３が特定のチャンネルの受信可否を調査中であるなど、動作中であるか否かを表すフラグ情報Ｆoneと、フルセグチューナ部１４が特定のチャンネルの受信可否を調査中であるなど、動作中であるか否かを表すフラグ情報Ｆfullとをリセット（いずれも動作していないことを表す情報に設定）し、登録候補となる物理チャンネルのリストを空にする。
【００３４】
制御部１１は、記憶部１２に格納したチャンネル候補一覧情報を読み出して参照し、未だ調べていない（状態情報が「未調査」となっている）物理チャンネルを検索する（Ｓ２）。そして未調査となっている物理チャンネルがあったか否かを調べ（Ｓ３）、未調査となっている物理チャンネルがあれば（Yesならば）、この物理チャンネルを特定する情報（チャンネルの番号でよい）を、次調査候補として記憶する。
【００３５】
制御部１１は、ワンセグチューナ部１３が動作中であるか否かを調べ（Ｓ４：フラグ情報Ｆoneを調べればよい）、動作中でなければ（Noならば）、当該次調査候補として記憶した物理チャンネルでワンセグ放送の受信が可能であるか否かを調べるようワンセグチューナ部１３に指示し（Ｓ５）、フラグ情報Ｆoneを、ワンセグチューナ部１３が動作中であることを表す情報に設定する。またこのとき制御部１１は、チャンネル候補一覧情報における当該物理チャンネルに対応する状態情報を「ワンセグ調査中」に変更し、当該次調査候補を削除する。
【００３６】
制御部１１は、ワンセグチューナ部１３から受信可能か否かの結果が出力されているか否かを調べる（Ｓ６）。ここで受信可能か否かの結果が出力されていれば、制御部１１は、チャンネル候補一覧情報のうち、状態情報が「ワンセグ調査中」となっている物理チャンネルの状態情報を、ワンセグチューナ部１３が出力する受信可能か否かの結果に応じて更新する（Ｓ７）。具体的にワンセグチューナ部１３が出力する結果が受信可能を表すものであれば状態情報を「ワンセグで受信可能」を表すものとする。またワンセグチューナ部１３が出力する結果が受信可能を表すものでなければ状態情報を「空きチャンネル」を表すものとする。
【００３７】
そして制御部１１は、フルセグチューナ部１４が動作中であるか否かを調べ（Ｓ８：フラグ情報Ｆfullを調べればよい）、動作中でなければ（Noならば）、制御部１１は記憶部１２に格納したチャンネル候補一覧情報を読み出して参照し、状態情報が「ワンセグで受信可能」となっている物理チャンネルを検索する（Ｓ９）。そして「ワンセグで受信可能」となっている物理チャンネルがあったか否かを調べ（Ｓ１０）、そのような物理チャンネルがあれば（Yesならば）、この物理チャンネルにおいて、番組情報を取得するようフルセグチューナ部１４に指示する（図４（Ａ）：Ｓ１１）。このとき制御部１１は、チャンネル候補一覧情報における当該物理チャンネルに対応する状態情報を「フルセグ調査中」に変更しておく。
【００３８】
制御部１１は、フルセグチューナ部１４から番組情報が取得できたか否かを表す結果が出力されているか否かを調べる（Ｓ１２）。ここでフルセグチューナ部１４が結果を出力していれば（Yesならば）、制御部１１は、当該結果が番組情報が取得可能であったことを表すものであるか否かを判断し（Ｓ１３）、取得可能であったことを表すものならば（Yesならば）、チャンネル候補一覧情報のうち、状態情報が「フルセグ調査中」となっている物理チャンネルの状態情報を「フルセグ受信可能」を表すものに変更する。また制御部１１は、当該物理チャンネルを登録候補のリストに加えて記憶する（Ｓ１４）。
【００３９】
そして制御部１１は、すべての物理チャンネルについての調査が終了したか否かを調べる（Ｓ１６）。ここでは、チャンネル候補一覧情報に含まれるすべての状態情報が「フルセグ受信可能」、または「空きチャンネル」のいずれかとなった場合に、制御部１１は調査が終了したと判断する。制御部１１がすべての物理チャンネルについての調査が終了したと判断すると（Yesであると）、制御部１１は登録候補のリストに含まれる物理チャンネルを、選局対象のチャンネルとして登録する（Ｓ１７）。この登録の処理の具体例は後に述べる。
【００４０】
一方制御部１１は、処理Ｓ１６において、すべての物理チャンネルについての調査が終了していないと判断すると（Noであると）、処理Ｓ２に戻って処理を続ける（Ｒ）。また、制御部１１は、処理Ｓ１３において、フルセグチューナ部１４が出力する結果が、番組情報が取得できなかったことを表すものであるならば（Noならば）、チャンネル候補一覧情報のうち、状態情報が「フルセグ調査中」となっている物理チャンネルの状態情報を「空きチャンネル」を表すものに変更し（Ｓ１５）、処理Ｓ１６へ移行する。
【００４１】
また制御部１１は、処理Ｓ８において、フルセグチューナ部１４が動作中であれば（Yesならば）、処理Ｓ１２へ移行して処理を続けることとする（Ｃ）。また処理Ｓ６においてワンセグチューナ部１３から受信可能か否かの結果が出力されていなければ（Noならば）、制御部１１は処理Ｓ８へ移行して処理を続ける。さらに処理Ｓ３において未調査の物理チャンネルが検索できなかった場合（Noの場合）、処理Ｓ４においてワンセグチューナ部１３が動作中であった場合（Yesの場合）には、制御部１１は処理Ｓ５を実行せず、処理Ｓ６へ移行して処理を続ける。
【００４２】
さらに制御部１１は、処理Ｓ１０において、「ワンセグで受信可能」となっている物理チャンネルがなければ（Noならば）、図４に例示するように（Ｂ）、次調査候補として記憶された物理チャンネルがあるか否かを調べ（Ｓ１８）、そのような物理チャンネルがあれば（Yesならば）、当該次調査候補となっている物理チャンネルにおいて番組情報の取得が可能であるか否かを調べるよう指示してもよいし（Ｓ１９）、なければ（Noならば）、処理Ｓ１６に移行してもよい。
【００４３】
このようにすると、ワンセグチューナ部１３が、未だワンセグで受信可能な物理チャンネルを見出していない間も、フルセグチューナ部１４が動作しない状態となることがなく、双方のチューナ部を有効に活用して、チャンネルスキャンの効率をより向上できる。
【００４４】
ここで制御部１１による、選局対象のチャンネルを登録する動作（図４の処理Ｓ１７）の例について説明する。本実施の形態のテレビチューナ装置１では、例えばリモートコントローラ２（リモコン）上に配されたテンキー等のボタンにより選局が行われる。そこで本実施の形態の制御部１１は、フルセグ受信が可能である物理チャンネルと、テンキーにより指定されるチャンネルとを関連付ける処理を行う。
【００４５】
一例では、制御部１１は、登録候補リストに含まれる物理チャンネルについて、物理チャンネルの数値が小さい順に、１，２…というように（リモコン側の）チャンネルを対応付けて、チャンネル対応情報を生成し、記憶部１２に格納する（図５）。また別の例では制御部１１は、フルセグチューナ部１４が受信した局名情報を参照し、局名情報ごとに予め定めたチャンネルを対応付けて、チャンネル対応情報を生成する。
【００４６】
次に、制御部１１による受信動作について説明する。チャンネルスキャンが完了し、チャンネル対応情報が生成されると、制御部１１は受信動作の指示を受け付ける。すなわち制御部１１は、インタフェース部１５を介して、リモートコントローラ２等から利用者から受信するべきチャンネル（リモコン上のチャンネル）の指定を受け入れる。
【００４７】
そして制御部１１は、記憶部１２に格納されているチャンネル対応情報を参照し、チャンネル対応情報において、当該受け入れたチャンネルに対応づけられている物理チャンネルを特定する情報を取得する。ここで制御部１１は、チャンネル対応情報において、当該受け入れたチャンネルに対応づけられている物理チャンネルがなければ、「このチャンネルは存在しません」などの文字列を映像信号に含めて出力するなど、エラーを報知する。
【００４８】
また制御部１１は、利用者が指定したチャンネルに対応づけられている物理チャンネルを特定する情報を取得すると、当該物理チャンネルでの放送信号を受信するよう、フルセグチューナ部１４に指示する。そして制御部１１は、フルセグチューナ部１４から映像信号と音声信号とを得ると、これらの信号を、インタフェース部１５のＨＤＭＩや、ＲＣＡ端子を介して出力する。
【００４９】
本実施の形態のテレビチューナ装置１は、以上の構成を備えてなり、次のように動作する。本実施の形態では、例えばフルセグ放送の受信中に、電波強度が低下して受信不能になった場合、あるいは、本実施の形態のテレビチューナ装置１の購入後、最初に設置するときに、チャンネルスキャンの動作を開始する。テレビチューナ装置１は、ディジタル放送用に割当てられている周波数帯域内に設定された複数の物理チャンネルの各々について、受信可能か否かの判断結果が比較的簡便に取得できるワンセグチューナ部１３により、信号の電波強度が予め定めたしきい値より高いか否か（ワンセグ放送が受信可能か否か）を調べる。
【００５０】
そしてテレビチューナ装置１は、ワンセグ放送が受信可能と判断された物理チャンネルが見出されると、ワンセグチューナ部１３が他の物理チャンネルにおける信号の電波強度を調べているか否かに関わらず、フルセグチューナ部１４により当該ワンセグ放送が受信可能と判断された物理チャンネルにて番組情報が取得できるか否かを調べる。
【００５１】
また本実施の形態では、ワンセグ放送が受信可能と判断された物理チャンネルが見出せていない間は、ワンセグチューナ部１３によりワンセグ放送が受信可能な物理チャンネルを調べるとともに、ワンセグチューナが調べていない物理チャンネルについて、フルセグチューナ部１４により番組情報を取得可能であるか否かを調べることとしてもよい。
【００５２】
このように、本実施の形態のテレビチューナ装置１は、ワンセグチューナ部１３とフルセグチューナ部１４とが並列的に協働して、フルセグ放送を受信可能な物理チャンネルをスキャンする。これによりチャンネルスキャンの効率を向上し、利便性を高めることができる。
【００５３】
また本実施の形態においては、図３の処理Ｓ２にて受信可否を調べるべき未調査の物理チャンネルを検索する順序を、受信可能性を予め設定した可能性情報に基づいて定めてもよい。これにより、ワンセグチューナ部１３による調査と、フルセグチューナ部１４とによる調査との少なくとも一方が、受信可能性を予め設定した可能性情報に基づいて定めた順で、受信可否を調べる動作を行うことになる。具体的にこの可能性情報の一例は、物理チャンネルごとに、各物理チャンネルにて放送が行われている地域の数を表すものとしてもよい。例えば地域１，２，３のそれぞれにおいて放送が行われている物理チャンネルが
地域１：２０，２１，２２，２３，２４，２５，２６，２７
地域２：２１，２２，２３，２４，２５，２６，３３，３６
地域３：１３，１４，１９，２０，２３，３６，３７，４６
である場合、物理チャンネル１３では可能性は「１」、物理チャンネル２０では可能性は「２」、物理チャンネル２３では可能性は「３」…というように設定される。この例によると、可能性の値がより大きい値である物理チャンネルから順に（同順位の物理チャンネルについては任意の順、例えば物理チャンネルの番号の小さい順などとすればよい）受信可否を調べることとなり、テレビチューナ装置１が現在どの地域にあるかによらず、受信可能性の高い順に受信可否を調べるべき物理チャンネルが検索できる。
【００５４】
またこの可能性の値は、地域ごとの人口比によって重みづけられてもよい。例えば上記の地域１，２，３の例において、地域１の人口を「１」としたとき、地域２の人口がその比で「１．２」、地域３の人口が「０．５」と表されるとすると、物理チャンネル１３では可能性は「０．５」（地域３にのみ含まれるため）、物理チャンネル２７では「１」（地域１にのみ含まれるため）、物理チャンネル２０では可能性は「１．５」（地域１の人口比「１」と地域３の人口比「０．５」との和）、物理チャンネル２３では可能性は「２．７」（地域１，２，３の人口比の和）…というように設定される。
【００５５】
さらにこの可能性情報の別の例は、過去に実行された処理により得られているチャンネル候補一覧情報に基づき、放送を受信可能であった物理チャンネルの受信可能性を「１」、そうでない物理チャンネルの受信可能性を「０」などとする情報であってもよい。この場合は、チャンネルスキャン動作開始時に、図３，図４に例示のような初期化処理の実行（ステップＳ１）を行わず、新規のチャンネル候補一覧情報を作成し、初期化の対象となったチャンネル候補一覧情報を、過去のチャンネル候補一覧情報として記憶部１２に格納しておき、制御部１１は、記憶部１２に格納した過去のチャンネル候補一覧情報を読み出して参照すればよい。また、過去のチャンネル候補一覧情報が複数ある場合は、物理チャンネルごとの受信可能性の総和の高い順に受信可否を調べることとなり、可能性の高い順に受信可否を調べるべき物理チャンネルが検索できる。
【００５６】
さらにこの可能性情報の別の例は、地域ごとに設定され、放送が行われている物理チャンネルの受信可能性を「１」、そうでない物理チャンネルの受信可能性を「０」などとする情報であってもよい。この場合制御部１１は、ＧＰＳ（Global Positioning System）等を利用して検出した現在地の情報により、あるいは利用者の指定により、本実施の形態のテレビチューナ装置１が所在する地域（放送が行われる物理チャンネルが互いに異なる地域の情報として予め設定しておく）を検出する。そして当該検出した地域において、受信可能性がより高い「１」となっている物理チャンネルから順に（同順位の物理チャンネルについては任意の順、例えば物理チャンネルの番号の小さい順など）受信可否を調べることとなり、可能性の高い順に受信可否を調べるべき物理チャンネルが検索できる。
【００５７】
さらに本実施の形態では、制御部１１は、受信動作を行っている間に、受信動作と並行して（いわゆるマルチタスク、あるいはマルチスレッドの動作として広く知られた方法により並行させればよい）、次の処理を行ってもよい。
【００５８】
すなわち制御部１１は、各物理チャンネルを特定する情報に対し「空きチャンネル」であることを表す情報を関連付けたチャンネル候補一覧情報を生成する。
【００５９】
そして制御部１１は、記憶部１２に格納したチャンネル候補一覧情報を読み出して参照し、予め定めた順序（例えば物理チャンネルを表す値の小さい順でもよいし、上述の可能性情報を利用して定めた順であってもよい）に物理チャンネルを選択し、選択した物理チャンネルでワンセグ放送の受信が可能であるか否かを調べるようワンセグチューナ部１３に指示する。
【００６０】
ワンセグチューナ部１３が、選択された物理チャンネルでの受信可能か否かの結果を出力すると、制御部１１は、チャンネル候補一覧情報において、選択した物理チャンネルに対応する状態情報を、ワンセグチューナ部１３が出力する受信可能か否かの結果に応じて更新する。つまり制御部１１は、ワンセグチューナ部１３が出力する結果が受信可能を表すものであれば、対応する状態情報を「ワンセグで受信可能」を表すものとする。またワンセグチューナ部１３が出力する結果が受信可能を表すものでなければ状態情報を「空きチャンネル」を表すものとする。
【００６１】
制御部１１は、各物理チャンネルについて、上記の順序でワンセグ放送の受信が可能であるか否かを調べる。なお、制御部１１は順序に従ってすべての物理チャンネルについてワンセグ放送の受信が可能であるか否かを調べた後、また当該順序に従って各物理チャンネルについてワンセグ放送の受信が可能であるか否かを調べる処理を繰返してもよい。
また、この受信動作と並行して行う処理では、同じチャンネルに同じＴＳ（放送信号）が含まれているときには、それぞれのＴＳについてのＢＥＲ等の受信信号の品質に関係する電波強度の情報を比較し、より受信信号の品質が高いと判断されるＴＳを選択的に用いて、ワンセグ放送の受信が可能か否かを調べることとしてもよい。
【００６２】
この処理を行っている場合、制御部１１は、チャンネルスキャンの処理を行うにあたり、図３の処理Ｓ１においてチャンネル候補一覧情報を初期化しない。これによりフルセグ放送の受信とともに、各物理チャンネルでの放送受信可否を表すチャンネル候補一覧情報を得ておくことができる。
【００６３】
またここまでの説明では、チャンネル候補一覧情報に含まれる物理チャンネルごとのチャンネル情報には、物理チャンネルを特定する情報と、状態情報とが含まれるものとしたが、本実施の形態はこれに限られない。すなわちフルセグチューナ部１４により番組情報を取得できた物理チャンネルのチャンネル情報にはさらに、当該取得した番組情報に含まれる局名の情報を含めてもよい（図６）。
【００６４】
この場合において、制御部１１は、チャンネルスキャン動作の開始時など、新たにチャンネル候補一覧情報を生成する際に、そのときまで受信していたチャンネルの局名の情報を、直前受信局名情報として記憶部１２に格納しておく。そしてチャンネルスキャン動作中、フルセグチューナ部１４が局名の情報を取得すると、当該局名の情報を取得した物理チャンネルに対応するチャンネル情報に、この取得した局名の情報を含めて記録しておく。
【００６５】
そして制御部１１は、チャンネルスキャン動作終了時に、記憶部１２に格納された直前受信局名情報を読み出す。制御部１１はチャンネル候補一覧情報のいずれかのチャンネル情報に、当該読み出した直前受信局名情報の表す局名と同じ局名を表す情報が含まれているか否かを調べる。そして直前受信局名情報の表す局名と同じ局名を表す情報が含まれているチャンネル情報を見出すと、制御部１１は、当該見出したチャンネル情報に含まれる、物理チャンネルを特定する情報を読み出し、読み出した情報で特定される物理チャンネルで放送を受信するよう、フルセグチューナ部１４に指示して、受信動作を開始してもよい。また制御部１１は、直前受信局名情報の表す同じ局名でなくとも、直前受信局名情報の表す局と同じ系列の系列局を表す情報が含まれているチャンネル情報を見出すと、制御部１１は、当該見出したチャンネル情報に含まれる、物理チャンネルを特定する情報を読み出し、読み出した情報で特定される物理チャンネルで放送を受信するよう、フルセグチューナ部１４に指示して、受信動作を開始してもよい。ここで、同じ系列局であるか否かは、チャンネル情報に含まれる系列ＩＤ（affiliation id）を参照することにより判断できる。
【００６６】
これによると、チャンネルスキャン動作が完了したときに、それまで視聴していた局の番組が継続して視聴できるようになる。
【００６７】
さらに本実施の形態では、ワンセグチューナ部１３は複数あってもよい。この場合、図３の処理Ｓ４では、動作していないワンセグチューナ部１３を検索し、処理Ｓ５では検索の結果見出されたワンセグチューナ部１３があれば、当該見出したワンセグチューナ部１３に受信可否を調べるよう指示すればよい。また処理Ｓ６ではいずれかのワンセグチューナ部１３から結果の出力があったかを調べ、結果を出力しているワンセグチューナ部１３から、当該出力している結果の情報を受け取り、対応する物理チャンネルの状態情報を、当該結果に基づいて更新すればよい。なお、このためには、どのワンセグチューナ部１３がどの物理チャンネルを調査しているかを表す情報を制御部１１が生成して保持しておく。
【００６８】
また制御部１１は、ＧＰＳ等により本実施の形態のテレビチューナ装置１が所在する現在の位置が検出できる場合は次のように動作してもよい。すなわち制御部１１は、受信動作によりフルセグチューナ部１４が放送信号を受信したときに現在の位置を検出して、当該検出した位置が表す地域の情報（放送が行われる物理チャンネルが互いに異なる地域の情報として予め設定しておく）を、受信地域情報として記憶しておく。そして制御部１１は、その後受信動作中にも予め定めたタイミングごとに繰返し現在の位置を検出し、検出した位置の表す地域の情報が、記憶している受信地域情報とは異なる地域となったときに、チャンネルスキャン動作を開始してもよい。
【００６９】
なお、現在位置が放送が行われる物理チャンネルが互いに異なる地域のうち、どの地域に属しているかを検出する方法については、既に広く知られた方法があるので、ここでの詳しい説明を省略する。
【００７０】
以上のように、本実施の形態によると、ワンセグチューナとフルセグチューナとを並列に協働してチャンネルスキャン動作を行うので、チャンネルスキャンを効率的に実行でき、それにより利便性を向上できる。
【符号の説明】
【００７１】
１１  制御部、１２  記憶部、１３  ワンセグチューナ部、１４  フルセグチューナ部、１５  インタフェース部。
【図１】
2014022779.tif 000003
【図２】
2014022779.tif 000004
【図３】
2014022779.tif 000005
【図４】
2014022779.tif 000006
【図５】
2014022779.tif 000007
【図６】
2014022779.tif 000008